(57)【要約】【課題】人感センサの誤動作を防止する。【解決手段】人感センサ１は、赤外線を含む入射光ＩＮの強度変化を検出する受光部１０と、受光部１０の出力を増幅する増幅部２０及び３０と、増幅部３０の出力Ｓ０を所定の閾値Ｖ１及びＶ２と比較する比較部４０と、比較部４０の出力Ｓ３に応じて光源の点消灯制御信号Ｓ４を生成する出力５０部と、を有し、出力部５０は、少なくとも前記光源を消灯してから所定の期間に亘って比較部４０の出力変化を無効とするための比較無効信号Ｓ５を生成する。【選択図】図１２
2013122422.tif 000002
【特許請求の範囲】
【請求項１】
赤外線を含む入射光の強度変化を検出する受光部と、
前記受光部の出力を増幅する増幅部と、
前記増幅部の出力を所定の閾値と比較する比較部と、
前記比較部の出力に応じて光源の点消灯制御信号を生成する出力部と、
を有し、
前記出力部は、少なくとも前記光源を消灯してから所定の期間に亘って前記比較部の出力変化を無効とするための比較無効信号を生成することを特徴とする人感センサ。
【請求項２】
前記出力部は、前記比較部の出力変化が生じてから第１期間に亘って前記光源を点灯した後に前記光源を消灯するように前記点消灯制御信号を生成する第１タイマを含むことを特徴とする請求項１に記載の人感センサ。
【請求項３】
前記出力部は、前記点消灯制御信号が光源消灯時の論理レベルとなってから第２期間に亘って前記比較部の出力変化を無効とするように前記比較無効信号を生成する第２タイマを含むことを特徴とする請求項２に記載の人感センサ。
【請求項４】
前記出力部は、前記比較部の出力変化が生じてから前記第１期間よりも長い第２期間に亘って前記比較部の出力変化を無効とするように前記比較無効信号を生成する第２タイマを含むことを特徴とする請求項２に記載の人感センサ。
【請求項５】
前記比較部は、前記比較無効信号に基づいて前記入射光の強度低下に伴う出力変化のみを無効とすることを特徴とする請求項１〜請求項４のいずれか一項に記載の人感センサ。
【請求項６】
前記比較部は、前記比較無効信号に基づいて前記入射光の強度低下に伴う出力変化と前記入射光の強度増大に伴う出力変化の双方を無効とすることを特徴とする請求項１〜請求項４のいずれか一項に記載の人感センサ。
【請求項７】
前記比較部は、前記比較無効信号に基づいて出力論理を固定することを特徴とする請求項１〜請求項６のいずれか一項に記載の人感センサ。
【請求項８】
前記比較部は、前記比較無効信号に基づいて出力経路を遮断することを特徴とする請求項１〜請求項６のいずれか一項に記載の人感センサ。
【請求項９】
前記比較部は、前記比較無効信号に基づいて出力動作を停止することを特徴とする請求項１〜請求項６のいずれか一項に記載の人感センサ。
【請求項１０】
前記受光部は、
前記入射光を集める集光レンズと、
前記集光レンズの出力から可視光成分をカットする可視光カットフィルタと、
前記可視光カットフィルタの出力を受ける焦電素子と、
を含むことを特徴とする請求項１〜請求項９のいずれか一項に記載の人感センサ。
【請求項１１】
前記焦電素子に印加される電源電圧からノイズ成分を除去するローパスフィルタ部を有することを特徴とする請求項１０に記載の人感センサ。
【請求項１２】
請求項１〜請求項１１のいずれか一項に記載の人感センサと、
前記人感センサから点消灯制御信号が入力される光源と、
を有することを特徴とする照明機器。
【請求項１３】
前記人感センサは、前記光源の直近に設けられていることを特徴とする請求項１２に記載の照明機器。
【請求項１４】
前記光源は、ＬＥＤ［light emitting diode］であることを特徴とする請求項１２または請求項１３に記載の照明機器。
【発明の詳細な説明】
【技術分野】
【０００１】
本発明は、人感センサ及びこれを備えた照明機器に関するものである。
【背景技術】
【０００２】
近年、人感センサを備えた照明機器が種々開示・提案されている（例えば、特許文献１や特許文献２を参照）。
【先行技術文献】
【特許文献】
【０００３】
【特許文献１】特開２００１−１８４９３６号公報
【特許文献２】特開２０１１−８１９８３号公報
【発明の概要】
【発明が解決しようとする課題】
【０００４】
人感センサは、主に人体から発せられる赤外線に反応するように設計されているが、赤外線以外の可視光にも反応する場合がある。そのため、例えば、人感センサが照明機器の光源近傍に設けられていると、人感センサが同光源から発せられる可視光に反応してしまい、照明機器の誤動作を生じるおそれがあった。
【０００５】
本発明は、本願の発明者により見出された上記の問題点に鑑み、誤動作を防止することが可能な人感センサ及びこれを備えた照明機器を提供することを目的とする。
【課題を解決するための手段】
【０００６】
上記目的を達成するために、本発明に係る人感センサは、赤外線を含む入射光の強度変化を検出する受光部と、前記受光部の出力を増幅する増幅部と、前記増幅部の出力を所定の閾値と比較する比較部と、前記比較部の出力に応じて光源の点消灯制御信号を生成する出力部と、を有し、前記出力部は、少なくとも前記光源を消灯してから所定の期間に亘って前記比較部の出力変化を無効とするための比較無効信号を生成する構成（第１の構成）とされている。
【０００７】
なお、上記第１の構成から成る人感センサにおいて、前記出力部は、前記比較部の出力変化が生じてから第１期間に亘って前記光源を点灯した後に前記光源を消灯するように前記点消灯制御信号を生成する第１タイマを含む構成（第２の構成）にするとよい。
【０００８】
また、上記第２の構成から成る人感センサにおいて、前記出力部は、前記点消灯制御信号が光源消灯時の論理レベルとなってから第２期間に亘って前記比較部の出力変化を無効とするように前記比較無効信号を生成する第２タイマを含む構成（第３の構成）にするとよい。
【０００９】
また、上記第２の構成から成る人感センサにおいて、前記出力部は、前記比較部の出力変化が生じてから前記第１期間よりも長い第２期間に亘って前記比較部の出力変化を無効とするように前記比較無効信号を生成する第２タイマを含む構成（第４の構成）にするとよい。
【００１０】
また、上記第１〜第４いずれかの構成から成る人感センサにて、前記比較部は、前記比較無効信号に基づいて前記入射光の強度低下に伴う出力変化のみを無効とする構成（第５の構成）にするとよい。
【００１１】
また、上記第１〜第４いずれかの構成から成る人感センサにおいて、前記比較部は、前記比較無効信号に基づいて前記入射光の強度低下に伴う出力変化と前記入射光の強度増大に伴う出力変化の双方を無効とする構成（第６の構成）にするとよい。
【００１２】
また、上記第１〜第６いずれかの構成から成る人感センサにおいて、前記比較部は、前記比較無効信号に基づいて出力論理を固定する構成（第７の構成）にするとよい。
【００１３】
また、上記第１〜第６いずれかの構成から成る人感センサにおいて、前記比較部は、前記比較無効信号に基づいて出力経路を遮断する構成（第８の構成）にするとよい。
【００１４】
また、上記第１〜第６いずれかの構成から成る人感センサにおいて、前記比較部は、前記比較無効信号に基づいて出力動作を停止する構成（第９の構成）にするとよい。
【００１５】
また、上記第１〜第９いずれかの構成から成る人感センサにおいて、前記受光部は、前記入射光を集める集光レンズと、前記集光レンズの出力から可視光成分をカットする可視光カットフィルタと、前記可視光カットフィルタの出力を受ける焦電素子と、を含む構成（第１０の構成）にするとよい。
【００１６】
また、上記第１０の構成から成る人感センサは、前記焦電素子に印加される電源電圧からノイズ成分を除去するローパスフィルタ部をさらに有する構成（第１１の構成）にするとよい。
【００１７】
また、本発明に係る照明機器は、上記第１〜第１１いずれかの構成から成る人感センサと、前記人感センサから点消灯制御信号が入力される光源と、を有する構成（第１２の構成）とされている。
【００１８】
なお、上記第１２の構成から成る照明機器において、前記人感センサは、前記光源の直近に設けられている構成（第１３の構成）にするとよい。
【００１９】
また、上記第１２または第１３の構成から成る照明機器において、前記光源は、ＬＥＤ［light emitting diode］である構成（第１４の構成）にするとよい。
【発明の効果】
【００２０】
本発明によれば、誤動作を防止することが可能な人感センサ及びこれを備えた照明機器を提供することができる。
【図面の簡単な説明】
【００２１】
【図１】ＬＥＤランプの一構成例を示す要部正面図
【図２】図１のＩＩ−ＩＩ線に沿う断面図
【図３】図２のＩＩＩ−ＩＩＩ線に沿う要部断面図
【図４】図１のＬＥＤランプを示す要部斜視図
【図５】図１のＬＥＤランプに用いられるＬＥＤモジュールを示す拡大断面図
【図６】図１のＬＥＤランプに用いられる人感センサユニットおよびセンサ台座を示す斜視図
【図７】図１のＬＥＤランプに用いられる人感センサユニットの遮光筒を示す正面図
【図８】図１のＬＥＤランプに用いられる人感センサユニットの遮光筒を示す底面図
【図９】図１のＬＥＤランプに用いられるセンサ台座を示す平面図
【図１０】図１のＬＥＤランプに用いられるセンサ台座を示す側面図
【図１１】図１のＬＥＤランプに用いられるセンサ台座を示す背面図
【図１２】人感センサの第１構成例を示す回路図
【図１３】第１構成例のセンサ動作を説明するためのタイムチャート
【図１４】人感センサの第２構成例を示す回路図
【図１５Ａ】第２構成例のセンサ動作を説明するためのタイムチャート（第１例）
【図１５Ｂ】第２構成例のセンサ動作を説明するためのタイムチャート（第２例）
【図１６】人感センサの第３構成例を示す回路図
【図１７】第３構成例のセンサ動作を説明するためのタイムチャート
【図１８Ａ】第１のマスク手法を示す回路図
【図１８Ｂ】第２のマスク手法を示す回路図
【図１８Ｃ】第３のマスク手法を示す回路図
【発明を実施するための形態】
【００２２】
＜ＬＥＤランプ＞
図１〜図４は、ＬＥＤランプの一構成例を示している。本構成例のＬＥＤランプ１０１は、ＬＥＤ基板２００、複数のＬＥＤモジュール３００、人感センサユニット４００、センサ台座５００、透光カバー６００、放熱部材７００、電源部８００、および、１対の口金８５０を備えている。ＬＥＤランプ１０１は、直管形の蛍光灯の代替品として用いられるものであり、直管形の蛍光灯用の照明器具に取り付け可能に構成されている。なお、図４においては、理解の便宜上、口金８５０を省略している。また、これらの図面を含み、各実施形態においては、光軸方向ｚ上方が、実際の使用時には床面側に相当し、光軸方向ｚ下方が天井側に相当する。
【００２３】
ＬＥＤ基板２００は、長手方向ｘに長く延びる長矩形状であり、たとえばアルミナなどのセラミックスやガラスエポキシ樹脂などの絶縁材料からなる基材と、この基材上に形成された配線パターンを有する。ＬＥＤ基板２００は、複数のＬＥＤモジュール３００を支持し、これらに電源部８００からの電力を供給するための経路を提供している。
【００２４】
複数のＬＥＤモジュール３００は、ＬＥＤランプ１０１の光源であり、本構成例では、ＬＥＤ基板２００上において長手方向ｘに配列されている。図５は、ＬＥＤモジュール３００のｙｚ平面における断面図を示している。図５に示すように、ＬＥＤモジュール３００は、１対のリード３２０、ＬＥＤチップ３１０、封止樹脂３３０、および、リフレクタ３４０を備えている。１対のリード３２０は、たとえばＣｕ合金からなり、その一方の表面にＬＥＤチップ３１０が搭載されている。１対のリード３２０の裏面（ＬＥＤチップ３１０が搭載された面と反対側の面）は、ＬＥＤ基板２００上にＬＥＤモジュール３００を面実装するための実装端子とされている。ＬＥＤチップ３１０は、たとえばＧａＮ系半導体からなり、青色光を発光可能とされている。封止樹脂３３０は、ＬＥＤチップ３１０を保護するためのものである。封止樹脂３３０は、ＬＥＤチップ３１０からの光によって励起されることにより黄色光を発する蛍光物質を含む透光樹脂を用いて形成されている。これにより、ＬＥＤモジュール３００は、白色を照射することができる。上記蛍光物質としては、黄色光を発するものに代えて、赤色光を発するものと緑色光を発するものとを混合して用いてもよい。リフレクタ３４０はたとえば白色樹脂からなり、ＬＥＤチップ３１０から側方に発された光を上方に反射するためのものである。
【００２５】
透光カバー６００は、複数のＬＥＤモジュール３００を保護するとともに、これらからの光を拡散させつつ透過させる。透光カバー６００は、たとえば乳白色のポリカーボネイト等の樹脂からなり、円筒形状とされている。透光カバー６００には、切欠き６１０が形成されている。切欠き６１０は、透光カバー６００の長手方向ｘ一端から長手方向ｘ内方にくぼんだ形状とされている。
【００２６】
人感センサユニット４００は、ＬＥＤランプ１０１が照らす空間に使用者が訪れたことを感知するためのものであり、受光素子４１０、透過カップ４３０、遮光筒４４０、金属カップ４５０、および、センサ基板４６０を有する。受光素子４１０は、赤外線を受けると電気的変化を生じる素子であり、本構成例においては、たとえば焦電素子が用いられている。焦電素子は、受ける赤外線の変化に応じた起電力を発生する。なお、受光素子４１０としては、焦電素子のほかに人体から発せられる光線、或いは、人体によって反射される光線を感知可能なものであればよい。金属カップ４５０は、たとえばＦｅやＦｅ合金からなり、有底円筒形状とされている。金属カップ４５０の底部には、受光素子４１０が金属カップ４５０から露出した状態で取り付けられている。
【００２７】
透過カップ４３０は、たとえばポリカーボネイト樹脂などの赤外線を比較的良好に透過可能な材料からなり、金属カップ４５０とともに受光素子４１０を覆っている。透過カップ４３０は、集光レンズ４２０および筒部４３１を有している。集光レンズ４２０は、光軸方向ｚに沿って進行してきた光や光軸方向ｚから所定角度の範囲で傾いて進行してきた光を受光素子４１０に集光するものである。図６によく表れているように、本構成例において、集光レンズ４２０は、複数の小型のレンズ面が集合された構成となっている。図２および図３に示すように、筒部４３１は、集光レンズ４２０から光軸方向ｚ下方に繋がっている部位であり、本構成例においては、円筒形状とされている。
【００２８】
集光レンズ４２０は、透光カバー６００の切欠き６１０から光軸方向ｚ上方に向けて露出している。また、遮光筒４４０の光軸方向ｚ上端付近部分が、透光カバー６００の切欠き６１０から光軸方向ｚ上方に向けて露出している。図４によく表れているように、透光カバー６００の切欠き６１０と人感センサユニット４００との隙間は、遮蔽板６２０によって塞がれている。
【００２９】
遮光筒４４０は遮光手段の一例であり、透過カップ４３０の筒部４３１を覆っている。遮光筒４４０は、透過カップ４３０（集光レンズ４２０）の材質より赤外線の透過率が小さい材質からなる。このような材質としては、ポリエチレン樹脂、ポリプロピレン樹脂、ポリエチレン樹脂、ＰＥＴ樹脂などが挙げられる。また、これの樹脂に代表される、集光レンズ４２０の材質よりも可視光の透過率が小さい材質を遮光筒４４０の材質として採用することが好ましい。
【００３０】
図６〜図８によく表れているように、遮光筒４４０には、４つの突起４４１が形成されている。４つの突起４４１は、光軸方向ｚ視においておおよそ９０°間隔で配置されている。各突起４４１は、光軸方向ｚに長く延びる形状とされている。図２に示すように、突起４４１の光軸方向ｚ上端は、透光カバー６００の内面に接しているか、ごく接近した位置にある。本構成例においては、遮光筒４４０の光軸方向ｚ上端が集光レンズ４２０の光軸方向ｚ下端と一致しており、遮光筒４４０の光軸方向ｚ下端が透過カップ４３０の光軸方向ｚ下端と一致している。
【００３１】
センサ基板４６０は、金属カップ４５０、透過カップ４３０、および、遮光筒４４０を支持している。センサ基板４６０は、たとえばガラスエポキシ樹脂からなるプリント配線基板である。センサ基板４６０には、受光素子４１０の起電力変化に基づいた感知信号を生成するための感知信号生成回路（図示略）が搭載されている。センサ基板４６０からはケーブル４７０が延びている。ケーブル４７０は、上記感知信号を電源部８００へと送信する経路である。
【００３２】
センサ台座５００は、人感センサユニット４００を支持しており、図９〜図１１に示すように、上壁部５１０、隔離壁部５２０、及び、１対の脚壁部５３０を有している。本構成例において、センサ台座５００はアクリルなどの透明な樹脂からなる。センサ台座５００は、全体として光軸方向ｚに開口したコの字状とされており、ＬＥＤ基板２００および複数のＬＥＤモジュール３００のいくつかを跨いでいる。特に、本構成例では、光軸方向ｚ視において、センサ台座５００といずれかのＬＥＤモジュール３００が重なっている。
【００３３】
上壁部５１０は、光軸方向ｚ上側に位置しており、開口５１１及び１対の嵌合溝５１２を有する。１対の嵌合溝５１２は、開口５１１の幅方向ｙ端面に設けられており、長手方向ｘに長く延びている。図２および図６に示すように、１対の嵌合溝５１２は、人感センサユニット４００のセンサ基板４６０の幅方向ｙ両端部と嵌合している。これにより、人感センサユニット４００は、センサ台座５００によって支持されている。開口５１１は、センサ基板４６０から光軸方向ｚ上方へと金属カップ４５０、透過カップ４３０、および遮光筒４４０を起立させるためのスペースを確保するためのものである。
【００３４】
隔離壁部５２０は、上壁部５１０に対して光軸方向ｚ下方に位置しており、上壁部５１０と離間している。図２に示すように、上壁部５１０と隔離壁部５２０との間の空間には人感センサユニット４００のケーブル４７０が収容されている。１対の脚壁部５３０は、互いに幅方向ｙにおいて離間配置されており、上壁部５１０および隔離壁部５２０によって連結されている。１対の脚壁部５３０は、透光カバー６００に設けられた内側に突出する突起に取り付けられている。
【００３５】
放熱部材７００は、ＬＥＤモジュール３００からの熱を外部へと伝えるためのものであり、本構成例においては例えばアルミからなる。放熱部材７００は、断面略コの字形状とされており、長手方向ｘに長く延びている。放熱部材７００の上面には、ＬＥＤ基板２００が取り付けられている。放熱部材７００は、電源収容部７１０を有する。電源収容部７１０には、電源部８００が収容されている。
【００３６】
電源部８００は、たとえば商用の交流電力（ＡＣ１００Ｖ）を複数のＬＥＤモジュール３００（ＬＥＤチップ３１０）を点灯させるのに適した直流電力に変換するためのものであり、たとえば、トランス、コンデンサ、抵抗器、ＬＥＤドライバ（いずれも図示略）を有する。また、本構成例の電源部８００には、人感センサユニット４００からの感知信号に応じてＬＥＤモジュール３００（ＬＥＤチップ３１０）の点消灯を行う機能が組み込まれている。
【００３７】
１対の口金８５０は、透光カバー６００の長手方向ｘ両端に取り付けられており、ＬＥＤランプ１０１を直管形の蛍光灯用の照明器具に取り付けるための部位である。各口金８５０は、ケース８６０及び端子８７０を有する。ケース８６０は、有底円筒形状であり、たとえば、金属または樹脂からなる。端子８７０は、金属製の棒状部材であり、ケース８６０が金属からなる場合、絶縁体（図示略）が一部に巻かれている。図１や図３に示すように、人感センサユニット４００に近い側に位置する口金８５０のケース８６０は、遮蔽突起８６１を有する。遮蔽突起８６１は、長手方向ｘに突出しており、図３や図４で描写された透光カバー６００の切欠き６１０のうち、人感センサユニット４００および遮蔽板６２０によって覆われていない部分を覆う形状およびサイズとされている。
【００３８】
次に、ＬＥＤランプ１０１の作用について説明する。
【００３９】
本構成例によれば、集光レンズ４２０以外に向かってくる赤外線および可視光などの光は、遮光筒４４０によって大幅に減衰される。このため、たとえばＬＥＤモジュール３００からの光が受光素子４１０に到達することを抑制することができる。したがって、ＬＥＤランプ１０１が照らす領域に使用者が現れていないにも関わらず、ＬＥＤランプ１０１が誤作動によって点灯してしまうことを防止することができる。
【００４０】
遮光筒４４０は、センサ基板４６０から透光カバー６００に達する領域において透過カップ４３０の筒部４３１を覆っており、その光軸方向ｚ上端が透光カバー６００から露出している。これにより、ＬＥＤモジュール３００からの光が透光カバー６００の内部空間を反射して受光素子４１０に到達してしまうことや、透光カバー６００の内部を進行してきた光が受光素子４１０に到達してしまうことを防止することができる。これは、ＬＥＤランプ１０１の誤作動防止に適している。受光素子４１０を金属カップ４５０に収容することにより、さらに遮光効果を高めることができる。
【００４１】
遮光筒４４０の突起４４１を透光カバー６００の内面に当接させることにより、遮光筒４４０がセンサ基板４６０と透光カバー６００によって挟まれた構造となっている。これにより、遮光筒４４０が不当に動いてしまうことを抑制することができる。９０°間隔で配置された４つの突起４４１を備えることにより、これらの突起４４１と透光カバー６００とを確実に当接させることができる。
【００４２】
透光カバー６００に切欠き６１０を設けることにより、人感センサユニット４００の集光レンズ４２０を適切に外部に露出させることができる。遮蔽板６２０を備えることにより、人感センサユニット４００と透光カバー６００との隙間から光が不当に漏れることを抑制することができる。口金８５０のケース８６０に設けられた遮蔽突起８６１は、この隙間からの漏光防止に寄与する。
【００４３】
人感センサユニット４００を透明なセンサ台座５００によって支持することにより、センサ台座５００がＬＥＤモジュール３００を跨ぐ構成であっても、このＬＥＤモジュール３００からの光がセンサ台座５００によって遮られることを回避することができる。センサ台座５００を避けるようにＬＥＤモジュール３００を配置する必要がないため、人感センサユニット４００を備えない別のＬＥＤランプとＬＥＤ基板２００を共有することが可能である。
【００４４】
センサ台座５００の上壁部５１０と隔離壁部５２０との間にケーブル４７０を配置することにより、ＬＥＤモジュール３００やＬＥＤ基板２００の配線パターン（図示略）とケーブル４７０が不当に導通してしまうことを防止することができる。
【００４５】
＜人感センサ＞
［第１構成例］  
図１２は人感センサの第１構成例を示す回路図である。第１構成例の人感センサ１は、受光部１０と、プリアンプ部２０と、メインアンプ部３０と、比較部４０と、出力部５０と、ローパスフィルタ部６０とを有する。人感センサ１は、先述の人感センサユニット４００に相当し、ＬＥＤモジュールを光源とする照明機器（例えば直管形のＬＥＤランプ）に搭載される。人感センサ１は、先述の人感センサユニット４００と同様、光源であるＬＥＤモジュールの直近に設けられている。
【００４６】
受光部１０は、入射光ＩＮを集める集光レンズ１１と、集光レンズ１１の出力から可視光成分をカットする可視光カットフィルタ１２と、可視光カットフィルタ１２の出力を受ける焦電素子１３と、を含み、赤外線を含む入射光ＩＮの強度変化を検出する。
【００４７】
集光レンズ１１として多面レンズ（図４や図６を参照）やフレネルレンズなどを用いることにより、監視対象エリア内に複数の集光スポットを形成することができる。このような構成を採用すれば、監視対象エリア内に存在する人間が完全に静止していない限り、複数の集光スポット間で人間の出入りが頻繁に生じるので、監視対象エリア内に人間が存在することを高精度に検知することが可能となる。
【００４８】
焦電素子１３は、チタン酸ジルコン酸鉛（ＰＺＴ）などを原料とする焦電体板の表面電荷が入射光量に応じて変化する現象（焦電効果）を利用して入射光ＩＮの強度変化を検出する。焦電素子１３自体の波長依存性は小さいので、焦電素子１３の前段に可視光カットフィルタ１２を設けることにより、人体から発せられる赤外線を検出対象とすることができる。なお、焦電素子１３は１つであってもよいし複数であってもよい。
【００４９】
プリアンプ部２０及びメインアンプ部３０は、受光部１０の出力を増幅する増幅部に相当する。プリアンプ部２０は、オペアンプ２１と、抵抗２２〜２４と、コンデンサ２５〜２７と、を含む。メインアンプ部３０は、オペアンプ３１と、抵抗３２〜３５と、コンデンサ３６と、ダイオード３７及び３８と、を含む。
【００５０】
オペアンプ２１の非反転入力端（＋）は、焦電素子１３の出力端に接続される一方、抵抗２２を介して接地端にも接続されている。オペアンプ２１の反転入力端（−）は、抵抗２３の第１端に接続されている。抵抗２３の第２端は、コンデンサ２５を介して接地端に接続されている。オペアンプ２１の反転入力端（−）と出力端との間には、抵抗２４とコンデンサ２６が並列接続されている。オペアンプ２１の出力端は、コンデンサ２７の第１端に接続されている。コンデンサ２７の第２端は、抵抗３４を介してオペアンプ３１の反転入力端（−）に接続されている。
【００５１】
オペアンプ３１の非反転入力端（＋）は、ダイオード３７のカソードとダイオード３８のアノードとの接続ノード（基準電圧Ｖ０の印加端）に接続されている。ダイオード３７のアノードは、抵抗３２を介して電源電圧ＶＤＤの印加端に接続されている。ダイオード３８のカソードは、抵抗３３を介して接地端に接続されている。オペアンプ３１の反転入力端（−）と出力端との間には、抵抗３５とコンデンサ３６が並列接続されている。
【００５２】
上記構成から成るプリアンプ部２０及びメインアンプ部３０により、受光部１０の出力がμＶオーダからＶオーダまで増幅される。なお、メインアンプ部３０から出力される信号Ｓ０は、無信号時の電圧レベルが基準電圧Ｖ０にバイアスされており、その波形は入射光ＩＮの微分波形に近いものとなる。すなわち、入射光ＩＮの強度増大時には、信号Ｓ０が基準電圧Ｖ０よりも高電圧側に立ち上がり、逆に、入射光ＩＮの強度低下時には、信号Ｓ０が基準電圧Ｖ０よりも低電圧側に立ち下がる。なお、入射光ＩＮの強度に変化がないときには、信号Ｓ０が基準電圧Ｖ０となる。
【００５３】
比較部４０は、コンパレータ４１及び４２と、ダイオード４３及び４４と、Ｎチャネル型ＭＯＳ［metal oxide semiconductor］電界効果トランジスタ４５とを含み、メインアンプ部３０から出力される信号Ｓ０を閾値電圧Ｖ１及びＶ２（ただしＶ２＜Ｖ０＜Ｖ１）と比較する。コンパレータ４１の非反転入力端（＋）は、オペアンプ３１の出力端に接続されている。コンパレータ４１の反転入力端（−）は、閾値電圧Ｖ１の印加端（ダイオード３７のアノード）に接続されている。コンパレータ４１の出力端（信号Ｓ１の印加端）は、ダイオード４３のアノードに接続されている。コンパレータ４２の反転入力端（−）は、オペアンプ３１の出力端に接続されている。コンパレータ４２の非反転入力端（＋）は、閾値電圧Ｖ２の印加端（ダイオード３８のカソード）に接続されている。コンパレータ４２の出力端（信号Ｓ２の印加端）は、ダイオード４４のアノードに接続されている。ダイオード４３及び４４のカソードは互いに接続されており、その接続ノードは、比較部４０の出力端（信号Ｓ３の印加端）に相当する。トランジスタ４５のドレインは、コンパレータ４２の出力端に接続されている。トランジスタ４５のソースは、接地端に接続されている。トランジスタ４５のゲートは、比較無効信号Ｓ５の印加端に接続されている。
【００５４】
上記構成から成る比較部４０において、コンパレータ４１から出力される信号Ｓ１は、信号Ｓ０が閾値電圧Ｖ１を上回っているときにハイレベルとなり、信号Ｓ０が閾値電圧Ｖ１を下回っているときにローレベルとなる。すなわち、信号Ｓ１は、入射光ＩＮの強度増大時にハイレベルとなる。一方、コンパレータ４２から出力される信号Ｓ２は、信号Ｓ０が閾値電圧Ｖ２を下回っているときにハイレベルとなり、信号Ｓ０が閾値電圧Ｖ２を上回っているときにローレベルとなる。すなわち、信号Ｓ２は、入射光ＩＮの強度低下時にハイレベルとなる。また、比較部４０から最終的に出力される信号Ｓ３は、信号Ｓ１及びＳ２を論理的に足し合わせた信号となる。すなわち、信号Ｓ３は、入射光ＩＮの強度増大時と強度低下時の双方でハイレベルとなる。
【００５５】
また、上記構成から成る比較部４０において、比較無効信号Ｓ５がハイレベルとされているときには、トランジスタ４５がオンとなるので、コンパレータ４２から出力される信号Ｓ２が強制的にローレベルに固定される。すなわち、比較無効信号Ｓ５がハイレベルとされているときには、入射光ＩＮの強度低下に伴う信号Ｓ２（延いては信号Ｓ３）の出力変化（トリガパルス）が無効とされる。
【００５６】
出力部５０は、タイマ５１及び５２を含み、比較部４０から出力される信号Ｓ３に応じてＬＥＤモジュール（不図示）の点消灯制御信号Ｓ４を生成する。人感センサ１から点消灯制御信号Ｓ４が入力されるＬＥＤモジュールは、例えば、点消灯制御信号Ｓ４がハイレベルであるときに点灯し、点消灯制御信号Ｓ４がローレベルであるときに消灯する。
【００５７】
タイマ５１は、信号Ｓ３の出力変化（立上りエッジ）が生じてから期間Ｔ１（例えば４５〜１３５ｓ）に亘ってＬＥＤモジュールを点灯した後に同ＬＥＤモジュールを消灯するように点消灯制御信号Ｓ４を生成する。タイマ５１としては、信号Ｓ３の立上りエッジをトリガとして動作する単安定マルチバイブレータを用いることができる。なお、期間Ｔ１が短過ぎると人感センサ１の監視対象エリア内に人間が存在している状態でＬＥＤモジュールの誤消灯を生じるおそれがあり、逆に、期間Ｔ１が長過ぎると人感センサ１の監視対象エリアから人間が立ち去った後もＬＥＤモジュールが無駄に点灯し続けることになる。従って、期間Ｔ１は、人感センサ１が搭載される照明機器の使用態様に応じて、ユーザが任意の長さに設定し得る構成とすることが望ましい。
【００５８】
タイマ５２は、点消灯制御信号Ｓ４がローレベル（ＬＥＤ消灯時の論理レベル）となってから期間Ｔ２（例えば１〜１．２５ｓ）に亘って信号Ｓ２の出力変化を無効とするように比較無効信号Ｓ５を生成する。タイマ５２としては、点消灯制御信号Ｓ４の立下りエッジをトリガとして動作する単安定マルチバイブレータを用いることができる。なお、期間Ｔ２は、ＬＥＤモジュールの自動消灯時に生じる信号Ｓ２（延いては信号Ｓ３）の出力変動が収まるまでの所要時間を考慮して適切に設定することが望ましい。
【００５９】
ローパスフィルタ部６０は、抵抗６１とコンデンサ６２を含み、焦電素子１３に印加される電源電圧ＶＤＤからノイズ成分を除去する。抵抗６１の第１端は、電源電圧ＶＤＤの印加端に接続されている。抵抗６１の第２端は、焦電素子１３の電源端子に接続されている。コンデンサ６２は、焦電素子１３の電源端子と接地端との間に接続されている。
【００６０】
図１３は、第１構成例のセンサ動作を説明するためのタイムチャートであり、入射光ＩＮと信号Ｓ０〜Ｓ５が描写されている。なお、入射光ＩＮとしては、理解を容易とするために、人体から発せられる赤外光ＩＲとＬＥＤモジュールから発せられる光源光ＩＬとが分離して描写されている。
【００６１】
時刻ｔ１１において、人感センサ１の監視対象エリア内に人間が立ち入ると、人体から発せられる赤外光ＩＲに起因して、受光部１０で検出される入射光ＩＮの強度が増大し、信号Ｓ０が基準電圧Ｖ０よりも高電圧側に立ち上がる。そして、信号Ｓ０が閾値電圧Ｖ１を上回ると、信号Ｓ１にパルスが立ち上がり、さらには信号Ｓ３にパルスが立ち上がる。信号Ｓ３にパルスが立ち上がると、点消灯制御信号Ｓ４がローレベル（ＬＥＤ消灯時の論理レベル）からハイレベル（ＬＥＤ点灯時の論理レベル）に立ち上がる。
【００６２】
時刻ｔ１２において、ＬＥＤモジュールが点消灯制御信号Ｓ４に応じて点灯されると、ＬＥＤモジュールから発せられる光源光ＩＬに起因して、受光部１０で検出される入射光ＩＮの強度がさらに増大し、信号Ｓ０が再び基準電圧Ｖ０よりも高電圧側に立ち上がる。このとき、信号Ｓ１（延いては信号Ｓ３）には、先と同様のパルスが立ち上がる。なお、時刻ｔ１２の時点では、タイマ５１による期間Ｔ１のカウント動作が完了していないので期間Ｔ１のカウント動作はリセットされ、改めて期間Ｔ１のカウント動作が開始される。
【００６３】
時刻ｔ１１以降、人感センサ１の監視対象エリア内に人間が存在する限り、人間の動作に起因して入射光ＩＮには何らかの強度変化が生じる。このとき、入射光ＩＮの強度が増大すれば、信号Ｓ０が基準電圧Ｖ０よりも高電圧側に立ち上がり、逆に、入射光ＩＮの強度が低下すれば、信号Ｓ０が基準電圧Ｖ０よりも低電圧側に立ち下がる。このような信号Ｓ０の出力変化を受けて、信号Ｓ１及びＳ２（延いては信号Ｓ３）には各々パルスが立ち上がる。ただし、信号Ｓ３に生じるパルスの間隔が期間Ｔ１に満たない場合には、パルスの発生毎に期間Ｔ１のカウント動作が最初からやり直しとなるので、点消灯制御信号Ｓ４はハイレベルに維持され、ＬＥＤモジュールの点灯が継続される。
【００６４】
時刻ｔ１３において、人感センサ１の監視対象エリアから人間が立ち去ると、受光部１０で検出される入射光ＩＮの強度が低下して、信号Ｓ０が基準電圧Ｖ０よりも低電圧側に立ち下がる。そして、信号Ｓ０が閾値電圧Ｖ２を下回ると、信号Ｓ２にパルスが立ち上がり、さらには信号Ｓ３にパルスが立ち上がる。なお、時刻ｔ１３の時点では、タイマ５１による期間Ｔ１のカウント動作が完了していないので、期間Ｔ１のカウント動作は一旦リセットされ、改めて期間Ｔ１のカウント動作が開始される。
【００６５】
時刻ｔ１４において、タイマ５１による期間Ｔ１のカウント動作が完了すると、点消灯制御信号Ｓ４がハイレベル（ＬＥＤ点灯時の論理レベル）からローレベル（ＬＥＤ消灯時の論理レベル）に立ち下がる。また、信号Ｓ４がローレベルに立ち下がると、比較無効信号Ｓ５がローレベル（Ｓ２有効時の論理レベル）からハイレベル（Ｓ２無効時の論理レベル）に立ち上がる。
【００６６】
時刻ｔ１５において、ＬＥＤモジュールが点消灯制御信号Ｓ４に応じて消灯されると、受光部１０で検出される入射光ＩＮの強度がさらに低下し、信号Ｓ０が再び基準電圧Ｖ０よりも低電圧側に立ち下がる。このとき、トランジスタ４５は、比較無効信号Ｔ５に応じてオンとなっているので、信号Ｓ０が閾値電圧Ｖ２を下回った場合であっても、信号Ｓ２（延いては信号Ｓ３）にパルスが立ち上がることはなく、点消灯制御信号Ｓ４が意図せずにハイレベル（ＬＥＤ点灯時の論理レベル）に立ち上がることを防止することができる。
【００６７】
時刻ｔ１６において、タイマ５２による期間Ｔ２のカウント動作が完了すると、比較無効信号Ｓ５がハイレベル（Ｓ２無効時の論理レベル）からローレベル（Ｓ２有効時の論理レベル）に立ち下がる。従って、時刻ｔ１６以降については、時刻ｔ１１以前と同様、人感センサ１の監視対象エリア内に人間が立ち入ったか否かを検出する状態に戻る。
【００６８】
［第２構成例］
図１４は、人感センサの第２構成例を示す回路図である。第２構成例の人感センサ１は先述の第１構成例とほぼ同様の構成であり、出力部５０の構成に特徴を有する。そこで、第１構成例と同様の構成要素については、図１２と同一の符号を付すことで重複した説明を割愛し、以下では、第２構成例の特徴部分についてのみ重点的な説明を行う。
【００６９】
第２構成例の人感センサ１において、出力部５０に含まれるタイマ５２は、点消灯制御信号Ｓ４の出力変化（立下りエッジ）をトリガとして動作するのではなく、タイマ５１と並列に、信号Ｓ３の出力変化（立上りエッジ）をトリガとして動作する。具体的に述べると、タイマ５２は、信号Ｓ３の出力変化（立上りエッジ）が生じてから期間Ｔ１よりも長い期間Ｔ２（例えばＴ２＝（Ｔ１×α）＋（１〜１．２５）ｓ、ただしαは期間Ｔ１のバラツキを考慮して設定されるパラメータであり、例えばα＝１．３）に亘って信号Ｓ２の出力変化を無効とするように比較無効信号Ｓ５を生成する。
【００７０】
図１５Ａは、第２構成例のセンサ動作を説明するためのタイムチャートであり、図１３と同様、入射光ＩＮと信号Ｓ０〜Ｓ５が描写されている。
【００７１】
時刻ｔ２１において、人感センサ１の監視対象エリア内に人間が立ち入ると、人体から発せられる赤外光ＩＲに起因して、受光部１０で検出される入射光ＩＮの強度が増大し、信号Ｓ０が基準電圧Ｖ０よりも高電圧側に立ち上がる。そして、信号Ｓ０が閾値電圧Ｖ１を上回ると、信号Ｓ１にパルスが立ち上がり、さらには信号Ｓ３にパルスが立ち上がる。信号Ｓ３にパルスが立ち上がると、点消灯制御信号Ｓ４がローレベル（ＬＥＤ消灯時の論理レベル）からハイレベル（ＬＥＤ点灯時の論理レベル）に立ち上がる。また、第２構成例の人感センサ１では、比較無効信号Ｓ５もローレベル（Ｓ２有効時の論理レベル）からハイレベル（Ｓ２無効時の論理レベル）に立ち上がる。
【００７２】
時刻ｔ２２において、ＬＥＤモジュールが点消灯制御信号Ｓ４に応じて点灯されると、ＬＥＤモジュールから発せられる光源光ＩＬに起因して、受光部１０で検出される入射光ＩＮの強度がさらに増大し、信号Ｓ０が再び基準電圧Ｖ０よりも高電圧側に立ち上がる。このとき、信号Ｓ１（延いては信号Ｓ３）には、先と同様のパルスが立ち上がる。なお、時刻ｔ２２の時点では、タイマ５１及び５２による期間Ｔ１及びＴ２のカウント動作が完了していないので、期間Ｔ１及びＴ２のカウント動作はリセットされ、改めて期間Ｔ１及びＴ２のカウント動作が開始される。
【００７３】
時刻ｔ２１以降、人感センサ１の監視対象エリア内に人間が存在する限り、人間の動作に起因して入射光ＩＮには何らかの強度変化が生じる。このとき、入射光ＩＮの強度増大に伴って、信号Ｓ０が閾値電圧Ｖ１を上回れば、信号Ｓ１にパルスが立ち上がる。一方、入射光ＩＮの強度が低下したときには、信号Ｓ０が基準電圧Ｖ０よりも低電圧側に立ち下がる。ただし、時刻ｔ２１以降、トランジスタ４５は比較無効信号Ｔ５に応じてオンとなっている。従って、信号Ｓ０が閾値電圧Ｖ２を下回った場合であっても、信号Ｓ２にパルスが立ち上がることはない。すなわち、信号Ｓ２が信号Ｓ３に反映されることはなく、信号Ｓ３は信号Ｓ１そのものとなる。なお、信号Ｓ３に生じるパルスの間隔が期間Ｔ１及びＴ２に満たない場合には、パルスの発生毎に期間Ｔ１及びＴ２のカウント動作が最初からやり直しとなるので、点消灯制御信号Ｓ４と比較無効信号Ｓ５はハイレベルに維持され、ＬＥＤモジュールの点灯と信号Ｓ２の無効化が継続される。
【００７４】
時刻ｔ２３において、信号Ｓ３にパルスが立ち上げられた後、人感センサ１の監視対象エリアから人間が立ち去り、時刻ｔ２４において、タイマ５１による期間Ｔ１のカウント動作が完了すると、点消灯制御信号Ｓ４がハイレベル（ＬＥＤ点灯時の論理レベル）からローレベル（ＬＥＤ消灯時の論理レベル）に立ち下がる。なお、時刻ｔ２４よりも先に、人感センサ１の監視対象エリアから人間が立ち去った時点で、入射光ＩＮの強度低下に伴う信号Ｓ０の出力変化が生じるが、先にも述べたように、時刻ｔ２１以降はトランジスタ４５がオンとなっているので、信号Ｓ２にパルスが立ち上がることはない。
【００７５】
時刻ｔ２５において、ＬＥＤモジュールが点消灯制御信号Ｓ４に応じて消灯されると、受光部１０で検出される入射光ＩＮの強度がさらに低下し、信号Ｓ０が再び基準電圧Ｖ０よりも低電圧側に立ち下がる。このとき、トランジスタ４５は、比較無効信号Ｔ５に応じてオンとなっているので、信号Ｓ０が閾値電圧Ｖ２を下回った場合であっても、信号Ｓ２（延いては信号Ｓ３）にパルスが立ち上がることはなく、点消灯制御信号Ｓ４が意図せずにハイレベル（ＬＥＤ点灯時の論理レベル）に立ち上がることを防止することができる。
【００７６】
時刻ｔ２６において、タイマ５２による期間Ｔ２のカウント動作が完了すると、比較無効信号Ｓ５がハイレベル（Ｓ２無効時の論理レベル）からローレベル（Ｓ２有効時の論理レベル）に立ち下がる。従って、時刻ｔ２６以降については、時刻ｔ２１以前と同様、人感センサ１の監視対象エリア内に人間が立ち入ったか否かを検出する状態に戻る。
【００７７】
なお、図１５Ｂで示したように、時刻ｔ２５におけるＬＥＤモジュールの消灯時点で、人感センサ１の監視対象エリアから人間が立ち去っていなかった場合（監視対象エリア内の人間が静止状態であった場合）には、監視対象エリア内に人間が存在している状態でもＬＥＤモジュールが消灯される。この場合、人体から発せられる赤外光ＩＲは、ＬＥＤモジュールの消灯後も人感センサ１に入射され続けている。そのため、時刻ｔ２６において時間Ｔ２のカウント動作（信号Ｓ２のマスク動作）が完了した後、時刻ｔ２７において監視対象エリア内の人間が動くと、受光部１０で検出される入射光ＩＮの強度が低下し、信号Ｓ０が基準電圧Ｖ０よりも低電圧側に立ち下がる。そして、信号Ｓ０が閾値電圧Ｖ２を下回ると、マスクされていない信号Ｓ２にパルスが立ち上がり、さらには、信号Ｓ３にパルスが立ち上がる。信号Ｓ３にパルスが立ち上がると、点消灯制御信号Ｓ４がローレベル（ＬＥＤ消灯時の論理レベル）からハイレベル（ＬＥＤ点灯時の論理レベル）に立ち上がるので、ＬＥＤモジュールが遅滞なく再点灯される。
【００７８】
［第３構成例］
図１６は、人感センサの第３構成例を示す回路図である。第３構成例の人感センサ１は先述の第２構成例とほぼ同様の構成であり、比較部４０の構成に特徴を有する。そこで、第２構成例と同様の構成要素については、図１４と同一の符号を付すことで重複した説明を割愛し、以下では、第３構成例の特徴部分についてのみ重点的な説明を行う。
【００７９】
第３構成例の人感センサ１において、比較部４０は、コンパレータ４２の出力端に接続されたＮチャネル型ＭＯＳ電界効果トランジスタ４５に加えて、コンパレータ４１の出力端に接続されたＮチャネル型ＭＯＳ電界効果トランジスタ４６を含む。トランジスタ４６のドレインは、コンパレータ４２の出力端に接続されている。トランジスタ４６のソースは、接地端に接続されている。トランジスタ４６のゲートは、比較無効信号Ｓ５の印加端（タイマ５２の出力端）に接続されている。
【００８０】
すなわち、第３構成例の人感センサ１において、比較部４０は、比較無効信号Ｓ５に基づいて、信号Ｓ２（入射光ＩＮの強度低下に伴う出力変化）だけでなく、信号Ｓ１（入射光ＩＮの強度増大に伴う出力変化）も無効とする構成とされている。
【００８１】
図１７は、第３構成例のセンサ動作を説明するためのタイムチャートであり、図１３や図１５Ａ及び図１５Ｂと同様、入射光ＩＮと信号Ｓ０〜Ｓ５が描写されている。
【００８２】
時刻ｔ３１において、人感センサ１の監視対象エリア内に人間が立ち入ると、人体から発せられる赤外光ＩＲに起因して、受光部１０で検出される入射光ＩＮの強度が増大し、信号Ｓ０が基準電圧Ｖ０よりも高電圧側に立ち上がる。そして、信号Ｓ０が閾値電圧Ｖ１を上回ると、信号Ｓ１にパルスが立ち上がり、さらには信号Ｓ３にパルスが立ち上がる。信号Ｓ３にパルスが立ち上がると、点消灯制御信号Ｓ４がローレベル（ＬＥＤ消灯時の論理レベル）からハイレベル（ＬＥＤ点灯時の論理レベル）に立ち上がる。また、第２構成例の人感センサ１では、比較無効信号Ｓ５もローレベル（Ｓ２有効時の論理レベル）からハイレベル（Ｓ２無効時の論理レベル）に立ち上がる。
【００８３】
時刻ｔ３２において、ＬＥＤモジュールが点消灯制御信号Ｓ４に応じて点灯されると、ＬＥＤモジュールから発せられる光源光ＩＬに起因して、受光部１０で検出される入射光ＩＮの強度がさらに増大し、信号Ｓ０が再び基準電圧Ｖ０よりも高電圧側に立ち上がる。ただし、時刻ｔ３１以降、トランジスタ４６は比較無効信号Ｔ５に応じてオンとなっている。従って、信号Ｓ０が閾値電圧Ｖ１を上回った場合であっても、信号Ｓ１にパルスが立ち上がることはない。
【００８４】
時刻ｔ３１以降、人感センサ１の監視対象エリア内に人間が存在する限り、人間の動作に起因して入射光ＩＮには何らかの強度変化が生じる。このとき、入射光ＩＮの強度が増大したときには、信号Ｓ０が基準電圧Ｖ０よりも高電圧側に立ち上がり、入射光ＩＮの強度が低下したときには、信号Ｓ０が基準電圧Ｖ０よりも低電圧側に立ち下がる。ただし、時刻ｔ３１以降、トランジスタ４５及び４６は、いずれも比較無効信号Ｔ５に応じてオンとなっているので、信号Ｓ０が閾値電圧Ｖ１を上回った場合であっても、信号Ｓ０が閾値電圧Ｖ２を下回った場合であっても、信号Ｓ１及びＳ２（延いては信号Ｓ３）にパルスが立ち上がることはない。従って、タイマ５１及び５２のカウント動作は、人感センサ１の監視対象エリア内に人間が存在するか否かに関わらず、リセットされずに継続される。
【００８５】
時刻ｔ３３において、タイマ５１による期間Ｔ１のカウント動作が完了すると、点消灯制御信号Ｓ４がハイレベル（ＬＥＤ点灯時の論理レベル）からローレベル（ＬＥＤ消灯時の論理レベル）に立ち下がる。なお、時刻ｔ３３よりも先に、人感センサ１の監視対象エリアから人間が立ち去った時点で、入射光ＩＮの強度低下に伴う信号Ｓ０の出力変化が生じるが、先にも述べたように、時刻ｔ３１以降はトランジスタ４５がオンとなっているので、信号Ｓ２にパルスが立ち上がることはない。
【００８６】
時刻ｔ３４において、ＬＥＤモジュールが点消灯制御信号Ｓ４に応じて消灯されると、受光部１０で検出される入射光ＩＮの強度がさらに低下し、信号Ｓ０が再び基準電圧Ｖ０よりも低電圧側に立ち下がる。このとき、トランジスタ４５は、比較無効信号Ｔ５に応じてオンとなっているので、信号Ｓ０が閾値電圧Ｖ２を下回った場合であっても、信号Ｓ２（延いては信号Ｓ３）にパルスが立ち上がることはなく、点消灯制御信号Ｓ４が意図せずにハイレベル（ＬＥＤ点灯時の論理レベル）に立ち上がることを防止することができる。
【００８７】
時刻ｔ３５において、タイマ５２による期間Ｔ２のカウント動作が完了すると、比較無効信号Ｓ５がハイレベル（Ｓ２無効時の論理レベル）からローレベル（Ｓ２有効時の論理レベル）に立ち下がる。従って、時刻ｔ３５以降については、時刻ｔ３１以前と同様、人感センサ１の監視対象エリア内に人間が立ち入ったか否かを検出する状態に戻る。
【００８８】
なお、第３構成例では、先出の第２構成例を基礎として、比較部４０にトランジスタ４６を追加した構成を例を挙げて説明を行ったが、本発明の構成はこれに限定されるものではなく、先出の第１構成例を基礎として、比較部４０にトランジスタ４６を追加することも可能である。
【００８９】
［マスク手法］
図１８Ａは、比較部４０における信号Ｓ１（またはＳ２）の第１マスク手法を示す回路図である。第１マスク手法では、先述の第１〜第３構成例と同様にして、コンパレータ４２（または４１）の出力端と接地端との間にトランジスタ４５（または４６）が接続されている。本構成を採用した場合には、比較無効信号Ｓ５に基づいてトランジスタ４５（または４６）をオンすることにより、コンパレータ４２（または４１）から出力される信号Ｓ２（またはＳ１）の論理レベルを強制的に固定することができる。
【００９０】
図１８Ｂは、比較部４０における信号Ｓ１（またはＳ２）の第２マスク手法を示す回路図である。第２マスク手法では、コンパレータ４２（または４１）の出力経路上にＰチャネル型ＭＯＳ電界効果トランジスタ４７（または４８）が追加されており、トランジスタ４７（または４８）のゲートと接地端との間にトランジスタ４５（または４６）が接続されている。本構成を採用した場合には、比較無効信号Ｓ５Ｂ（これまでに説明してきた比較無効信号Ｓ５の論理反転信号）に基づいてトランジスタ４５（または４６）をオフすることにより、トランジスタ４７（または４８）をオフさせて、コンパレータ４２（または４１）の出力経路を遮断することができる。
【００９１】
図１８Ｃは、比較部４０における信号Ｓ１（またはＳ２）の第３マスク手法を示す回路図である。第３マスク手法では、コンパレータ４２（または４１）のイネーブル端子に比較無効信号Ｓ５が入力されている。本構成を採用した場合には、比較無効信号Ｓ５に基づいてコンパレータ４２（または４１）の出力動作自体を停止することができる。
【００９２】
このように、比較部４０における信号Ｓ１（またはＳ２）のマスク手法としては、いかなる手法を採用しても構わない。
【００９３】
＜その他の変形例＞
なお、上記の実施形態では、人感センサを備えた直管形のＬＥＤランプに本発明を適用した構成を例に挙げて説明を行ったが、本発明の適用対象はこれに限定されるものではなく、その他の照明機器（例えば、高圧水銀ランプ、メタルハライドランプ、高圧ナトリウムランプなどの高輝度放電ランプ）にも適用することが可能である。
【００９４】
また、本明細書中に開示されている種々の技術的特徴は、上記実施形態のほか、その技術的創作の主旨を逸脱しない範囲で種々の変更を加えることが可能である。例えば、バイポーラトランジスタとＭＯＳ電界効果トランジスタとの相互置換や、各種信号の論理レベル反転は任意である。すなわち、上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００９５】
本発明は、人感センサの誤動作を防止するための技術として利用することができる。
【符号の説明】
【００９６】
ｘ  長手方向
ｙ  幅方向
ｚ  光軸方向
１０１  ＬＥＤランプ
２００  ＬＥＤ基板
３００  ＬＥＤモジュール
３１０  ＬＥＤチップ
３２０  リード
３３０  封止樹脂
３４０  リフレクタ
４００  人感センサユニット
４１０  受光素子
４２０  集光レンズ
４３０  透過カップ
４３１  筒部
４４０  遮光筒
４４１  突起
４５０  金属カップ
４６０  センサ基板
４７０  ケーブル
５００  センサ台座
５１０  上壁部
５１１  開口
５１２  嵌合溝
５２０  隔離壁部
５３０  脚壁部
６００  透光カバー
６１０  切欠き
６２０  遮蔽板
７００  放熱部材
７１０  電源収容部
８００  電源部
８５０  口金
８６０  ケース
８６１  遮蔽突起
８７０  端子
１    人感センサ
１０    受光部
１１    集光レンズ
１２    可視光カットフィルタ
１３    焦電素子
２０    プリアンプ部
２１    オペアンプ
２２〜２４    抵抗
２５〜２７    コンデンサ
３０    メインアンプ部
３１    オペアンプ
３２〜３５    抵抗
３６    コンデンサ
３７、３８    ダイオード
４０    比較部
４１、４２    コンパレータ
４３、４４    ダイオード
４５、４６    Ｎチャネル型ＭＯＳ電界効果トランジスタ
４７、４８    Ｐチャネル型ＭＯＳ電界効果トランジスタ
５０    出力部
５１、５２    タイマ
６０    ローパスフィルタ部
６１    抵抗
６２    コンデンサ
【図１】
2013122422.tif 000003
【図２】
2013122422.tif 000004
【図３】
2013122422.tif 000005
【図４】
2013122422.tif 000006
【図５】
2013122422.tif 000007
【図６】
2013122422.tif 000008
【図７】
2013122422.tif 000009
【図８】
2013122422.tif 000010
【図９】
2013122422.tif 000011
【図１０】
2013122422.tif 000012
【図１１】
2013122422.tif 000013
【図１２】
2013122422.tif 000014
【図１３】
2013122422.tif 000015
【図１４】
2013122422.tif 000016
【図１５Ａ】
2013122422.tif 000017
【図１５Ｂ】
2013122422.tif 000018
【図１６】
2013122422.tif 000019
【図１７】
2013122422.tif 000020
【図１８Ａ】
2013122422.tif 000021
【図１８Ｂ】
2013122422.tif 000022
【図１８Ｃ】
2013122422.tif 000023